(57)【要約】【課題】多様なデザインを楽しむことが可能な縫い包みを提供する。【解決手段】縫い包み１が、フック部を有するフック側・面ファスナーを着脱自在に取付可能な表面態様を持つ布地１３を用いて表面が形成された本体部１０と、フック側・面ファスナーが固着された複数の毛の生えた植毛パーツ２０Ａ〜２０Ｏとを備えて構成される。そして、ユーザーの好みによって、本体部１０に対する各植毛パーツ２０Ａ〜２０Ｏの取り付けの有無を適宜組み合わせることで、縫い包み１の多様なデザインを楽しむことができる。【選択図】図１
2005270269.tif 000002
【特許請求の範囲】
【請求項１】
装飾本体部に、フック部を有するフック側・面ファスナーが固着された少なくとも一以上の装飾部材と、
前記フック側・面ファスナーを着脱自在に取付可能な表面態様を持つ布地を用いて形成された表面を有する縫い包み本体部と、
を備えたことを特徴とする縫い包み。
【請求項２】
請求項１記載の縫い包みであって、
前記布地は、ダクロンであることを特徴とする縫い包み。
【請求項３】
請求項１記載の縫い包みであって、
前記布地は、表面全体にループ状の毛を有するものであることを特徴とする縫い包み。
【請求項４】
請求項１から請求項３のいずれかに記載の縫い包みであって、
前記縫い包み本体部が動物を模した形状を有し、
前記装飾本体部が、毛の生えたパーツであることを特徴とする縫い包み。
【請求項５】
請求項１から請求項４のいずれかに記載の縫い包みであって、
前記フック側・面ファスナーによって前記装飾部材が前記縫い包み本体部に取り付られた状態で、前記布地と前記フック側・面ファスナーとが接する部分をハサミで挟みこむことによって前記布地から前記フック側・面ファスナーを脱着させて、前記装飾部材を前記縫い包み本体部から取り外すことが可能であることを特徴とする縫い包み。
【請求項６】
請求項１から請求項４のいずれかに記載の縫い包みと、
前記フック側・面ファスナーによって前記装飾部材が前記縫い包み本体部に取り付られた状態で、前記布地と前記フック側・面ファスナーとが接する部分を挟み込むことによって前記布地から前記フック側・面ファスナーを脱着させて、前記装飾部材を前記縫い包み本体部から取り外すことが可能である所定のハサミと、
を備えることを特徴とする縫い包みセット。
【請求項７】
フック部を有するフック側・面ファスナーを着脱自在に取付可能な表面態様を持つ布地を用いて表面が形成された縫い包み本体部に、装飾本体部に前記フック側・面ファスナーが固着された装飾部材を、当該フック側・面ファスナーによって取り付ける第１の工程と、
前記布地と前記フック側・面ファスナーとが接する部分をハサミで挟み込むことによって、前記布地から前記フック側・面ファスナーを脱着させて、前記第１の工程において前記縫い包み本体部に取り付けられた前記装飾部材を前記縫い包み本体部から取り外す第２の工程と、
を備えることを特徴とする装飾部材の取り付け取り外し方法。
【発明の詳細な説明】
【技術分野】
【０００１】
本発明は、縫い包みに関する。
【背景技術】
【０００２】
子供が遊んだり、装飾品として楽しむことが出来る縫い包みとして、動物等を模したものが広く世の中で親しまれている。
【０００３】
この縫い包みは、例えば、毛が予め植え付けられた布等によって、綿等を包み込んで外側から縫うことで作られる。
【発明の開示】
【発明が解決しようとする課題】
【０００４】
しかしながら、上述した縫い包みでは、縫い包みを覆う毛等が、縫い包みの表面に着脱不能に付され、例えば、毛の有無等を自在に変化させてデザイン的に楽しむことができないという問題点があった。
【０００５】
本発明は、上記課題に鑑みてなされてものであり、多様なデザインを楽しむことが可能な縫い包みを提供することを目的とする。
【課題を解決するための手段】
【０００６】
上記の課題を解決するために、請求項１の発明は、装飾本体部に、フック部を有するフック側・面ファスナーが固着された少なくとも一以上の装飾部材と、前記フック側・面ファスナーを着脱自在に取付可能な表面態様を持つ布地を用いて形成された表面を有する縫い包み本体部とを備えたことを特徴とする。
【０００７】
また、請求項２の発明は、請求項１記載の縫い包みであって、前記布地は、ダクロンであることを特徴とする。
【０００８】
また、請求項３の発明は、請求項１記載の縫い包みであって、前記布地は、表面全体にループ状の毛を有するものであることを特徴とする。
【０００９】
また、請求項４の発明は、請求項１から請求項３のいずれかに記載の縫い包みであって、前記縫い包み本体部が動物を模した形状を有し、前記装飾本体部が、毛の生えたパーツであることを特徴とする。
【００１０】
また、請求項５の発明は、請求項１から請求項４のいずれかに記載の縫い包みであって、前記フック側・面ファスナーによって前記装飾部材が前記縫い包み本体部に取り付られた状態で、前記布地と前記フック側・面ファスナーとが接する部分をハサミで挟みこむことによって前記布地から前記フック側・面ファスナーを脱着させて、前記装飾部材を前記縫い包み本体部から取り外すことが可能であることを特徴とする。
【００１１】
また、請求項６の発明は、請求項１から請求項４のいずれかに記載の縫い包みと、前記フック側・面ファスナーによって前記装飾部材が前記縫い包み本体部に取り付られた状態で、前記布地と前記フック側・面ファスナーとが接する部分を挟み込むことによって前記布地から前記フック側・面ファスナーを脱着させて、前記装飾部材を前記縫い包み本体部から取り外すことが可能である所定のハサミとを備えることを特徴とする。
【００１２】
また、請求項７の発明は、フック部を有するフック側・面ファスナーを着脱自在に取付可能な表面態様を持つ布地を用いて表面が形成された縫い包み本体部に、装飾本体部に前記フック側・面ファスナーが固着された装飾部材を、当該フック側・面ファスナーによって取り付ける第１の工程と、前記布地と前記フック側・面ファスナーとが接する部分をハサミで挟み込むことによって、前記布地から前記フック側・面ファスナーを脱着させて、前記第１の工程において前記縫い包み本体部に取り付けられた前記装飾部材を前記縫い包み本体部から取り外す第２の工程とを備えることを特徴とする。
【発明の効果】
【００１３】
この発明の縫い包みによれば、縫い包み本体部の表面が、フック側・面ファスナーを着脱自在に取付可能な表面態様を持つ布地を用いて形成されているため、装飾部材を、縫い包み本体部表面に着脱自在に取付けることができるため、多様なデザインを楽しむことができる。
【００１４】
そして、装飾部材が複数である場合には、複数の装飾部材を、縫い包み本体部表面に着脱自在に取付けることができるため、さらに多様なデザインを楽しむことができる。
【００１５】
特に、布地として、ダクロンを用いると、比較的肌触りがよい上、フック側・面ファスナーを繰返し着脱するのに適した縫い包みを得ることができる。
【００１６】
また、フック側・面ファスナーによって装飾部材が縫い包み本体部の布地に取り付けられた状態で、縫い包み本体部の布地とフック側・面ファスナーとが接する部分をハサミで挟みこむことで、縫い包み本体部からフック側・面ファスナーを取り外すことができるため、ハサミで装飾部材を切っているような感覚を得ることができる。
【００１７】
さらに、縫い包み本体部を動物の形状を模したものとし、装飾本体部を毛の生えたパーツとすることで、縫い包み表面における毛の生え方のデザインを種々変更して楽しむことができる。また、縫い包み本体部の布地とフック側・面ファスナーとが接する部分をハサミで挟みこむことで、縫い包み本体部からフック側・面ファスナーを脱着させる際における適度な抵抗により、あたかもハサミで縫い包み表面に生えている毛を切っているかの様な感触を得ることができる。
【発明を実施するための最良の形態】
【００１８】
以下、この発明の実施の形態に係る縫い包み（ぬいぐるみ）１について説明する。
【００１９】
＜縫い包みの概要＞
この縫い包み１は、例えば、犬のプードル等といった動物の形態等を模した縫い包みであり、図１に示すように、本体部１０と、植毛パーツ２０Ａ〜２０Ｏとを備えている。
【００２０】
本体部１０は、例えば、犬のプードル等といった動物を模した形状を有する。そして、本体部１０の表面は、フック側・面ファスナーを着脱自在に取付可能な表面態様を持つ布地１３を用いて形成されている。このような表面態様を持つ布地１３としては、表面全体にループ状の毛１３ａが形成された布地（図４参照）を挙げることができる。ここで毛１３ａがループ状になっている態様には、繊維自体がループ状に編込まれたものの他、表面の起毛がからまりあってループ状になったものを含む。このような布地としては、ポリエチレンテレフタレート繊維の一種であるデュポン社製のダクロン（Dacron）（商標名）を用いることが好ましく、その他、一般的に、ツィスロンやマジックスェード等と呼ばれている布地等を用いることができる。これらの布地の表面には、微細な毛が密に起毛され、適宜ループ状をなしている。このため、比較的肌触りがよい上、後述するフック側・面ファスナー２４等を繰返し着脱するのにも適している。なお、ここでは、本体部１０表面の布地１３は、プードルの毛を短く刈った状態を模すために、例えば、その毛１３ａが植毛パーツ２０Ａ〜２０Ｏの表面に植えられた毛よりも比較的短く、白色となっている。つまり、本体部１０は、プードルの毛を全て短く刈った状態の形態を模したものとなっている。
【００２１】
植毛パーツ２０Ａ〜２０Ｏは、比較的長くのびた動物の毛に相当する毛を植え付けたパーツであり、上記本体部１０の表面を装飾するための部材である。ここでは、縫い包み１の表面を覆うことができる毛の部分が複数の植毛パーツ２０Ａ〜２０Ｏに分割されており、縫い包み１が、本体部１０の表面に対してフック側・面ファスナーにより着脱自在に取付可能である複数（より具体的には１５個）の装飾部材２０Ａ〜２０Ｏを備えている。
【００２２】
植毛パーツ２０Ａは本体部１０の頭の部分を覆うための毛の生えたパーツであり、植毛パーツ２０Ｂ，２０Ｃは本体部１０の左右の耳の部分をそれぞれ覆うための毛の生えたパーツであり、植毛パーツ２０Ｄは本体部１０の顔の部分を覆うための毛の生えたパーツである。
【００２３】
また、植毛パーツ２０Ｅは本体部１０の首から胴の前半分までを覆うための毛の生えたパーツであり、植毛パーツ２０Ｆ，２０Ｇは本体部１０の胴の後半分を左右からそれぞれ覆うための毛の生えたパーツであり、植毛パーツ２０Ｈ，２０Ｉは本体部１０の左右の前脚の上部をそれぞれ覆うための毛の生えたパーツであり、植毛パーツ２０Ｊ，２０Ｋは本体部１０の左右の前脚の下部をそれぞれ覆うための毛の生えたパーツであり、植毛パーツ２０Ｌ，２０Ｍは本体部１０の左右の後脚をそれぞれ覆うための毛の生えたパーツである。
【００２４】
さらに、植毛パーツ２０Ｎは本体部１０の尻尾の先を覆うための毛の生えたパーツであり、植毛パーツ２０Ｏは本体部１０の尻尾の側面を覆うための毛の生えたパーツである。
【００２５】
植毛パーツ２０Ｉについてより具体的に説明すると、図２〜図４に示すように、植毛パーツ２０Ｉは、植毛パーツ本体部２２Ｉと、フック側・面ファスナー２４とを備えている。植毛パーツ本体部２２Ｉは、本物のプードルの毛の色に合わせるように、例えば、白色の毛が布の表面に植えられて構成され、本体部１０の前脚の上部の周囲を包み込むことができる形状に形成されている。
【００２６】
フック側・面ファスナー２４は、図３及び図４に示すように、柔軟な基材２６上に、弾性樹脂等により形成される略Ｊ字状のフック部２５が複数立設された形状を有している。
【００２７】
そして、このフック側・面ファスナー２４を本体部１０の表面に圧接することにより、各フック部２５が本体部１０側の毛１３ａに引っ掛かるように係合する。これにより、植毛パーツ２０Ｉが本体部１０の表面に取付けられる。
【００２８】
また、この状態から、フック側・面ファスナー２４を本体部１０の表面から引き離すと、各フック部２５が略直線状に延びるように弾性変形し、各フック部２５と毛１３ａとの係合状態が解除されるようになっている。
【００２９】
このフック側・面ファスナー２４は、例えば、糸を用いて基材２６の外周囲を植毛パーツ本体部２２Ｉの裏面に縫付けることにより、植毛パーツ本体部２２Ｉに固着されている。
【００３０】
その他の植毛パーツ２０Ａ〜２０Ｈ，２０Ｊ〜２０Ｏについても、同様に、本体部１０の表面を分割して覆う適切な形状を呈する植毛パーツ本体部の裏側に、上記フック側・面ファスナー２４が固着された構成となっている。
【００３１】
このように構成された縫い包み１では、図１に示すように、上記植毛パーツ２０Ａ〜２０Ｏを、本体部１０の表面における所定の位置（例えば、上述した頭や耳等）に取付けることができる。そして、図５に示すように、全植毛パーツ２０Ａ〜２０Ｏを、本体部１０の表面における所定の位置に取付けると、プードル全体の毛が比較的長く伸びた状態を模すことができる。つまり、植毛パーツ２０Ａ〜２０Ｏの取付の有無を自在に変更することで、多様なデザインを楽しむことができる。
【００３２】
特に、ここでは、複数の植毛パーツ２０Ａ〜２０Ｏを備えるため、上記各植毛パーツ２０Ａ〜２０Ｏのうち任意の単数又は複数のものを、本体部１０の表面における所定の位置（例えば、上述した頭や耳等）に取付けることができる。このため、植毛パーツ２０Ａ〜２０Ｏの取付の有無の組合せを自在に変更することができるため、毛が比較的長い部分と毛が比較的短い部分とを適宜組み合わせて、さらに多様なデザインを楽しむことができる。
【００３３】
＜ハサミを用いた毛の模擬的なカット＞
縫い包み１では、フック側・面ファスナー２４が固着された植毛パーツ２０Ａ〜２０Ｏが、本体部１０表面の所定の位置に取り付けられた状態で、ユーザーが所定のハサミ５０を用いて、各植毛パーツ２０Ａ〜２０Ｏを適宜取り外すことにより、模擬的に縫い包み１表面の毛をカットすることができる。ここでは、縫い包み１と所定のハサミ５０とを有するセットが、模擬的な毛のカットを楽しむことができる一つの縫い包みセットとして構成される。
【００３４】
なお、ここでは、縫い包み１を極力傷つけないためや、使用する者が小児である場合における安全性確保のために、所定のハサミ５０は、例えば、刃が比較的鋭利でないプラスチックス製のハサミとなっている。
【００３５】
以下、図６に示すように、例えば、植毛パーツ２０Ｉを所定のハサミ５０を用いて模擬的にカットする場合について説明する。
【００３６】
図７に示すように、フック側・面ファスナー２４によって植毛パーツ２０Ｉが本体部１０の布地１３に取り付けられた状態で、植毛パーツ２０Ｉの端部近くを指でつまんで、植毛パーツ２０Ｉを本体部１０から軽く引き離す方向（図７中の矢印の方向）に引っ張りつつ、布地１３とフック側・面ファスナー２４とが接する部分を、指でつままれた部分の近傍から順次に所定のハサミ５０で挟み込むことによって、布地１３からフック側・面ファスナー２４を徐々に脱着させることができる。このように、布地１３と植毛パーツ２０Ｉとの間を端部より所定のハサミ５０で挟みこむことによって、本体部１０から植毛パーツ２０Ｉを取り外すことができる。
【００３７】
この植毛パーツ２０Ｉの取り外しについて具体的に説明すると、フック側・面ファスナー２４によって植毛パーツ２０Ｉが本体部１０の布地１３に取り付けられた状態では、植毛パーツ２０Ｉの各フック部２５が本体部１０側の毛１３ａに引っ掛かるように係合している。その状態で、布地１３とフック側・面ファスナー２４とが接する部分、すなわち、各フック部２５と毛１３ａとが係合する部分を所定のハサミ５０を用いて挟み込むことで、所定のハサミ５０の刃の部分による横方向からの負荷により、各フック部２５が略直線状に延びるように弾性変形し、各フック部２５と毛１３ａとの係合状態が解除される。
【００３８】
そして、ここでは、植毛パーツ２０Ｉの端部近くを指でつまんで、本体部１０から軽く引き離す方向（図７中の矢印の方向）に植毛パーツ２０Ｉを引っ張りつつ、植毛パーツ２０Ｉに固着されるフック側・面ファスナー２４全体について、上述したような係合状態の解除を行うことで、本体部１０から植毛パーツ２０Ｉを取り外すことができる。
【００３９】
このように各フック部２５と毛１３ａとの係合状態が解除される際に所定のハサミ５０に伝わる負荷、すなわち所定のハサミ５０を持つ手に伝わる感覚は、本物のハサミで本物の毛を一本一本切る際にハサミに伝わる負荷やハサミを持つ手に伝わる感覚に類似している。そのため、所定のハサミ５０で挟み込むことによって本体部１０から植毛パーツ２０Ｉを取り外す際に、所定のハサミ５０を手に持つユーザーは、適度な抵抗により、あたかも本物のハサミで縫い包み表面に生えている毛をジョキンジョキンと切っているかの様な感触を得ることができる。
【００４０】
同様にして、所定のハサミ５０を用いて、植毛パーツ２０Ａ〜２０Ｏのうち、任意の植毛パーツを本体部１０から取り外すことができる。
【００４１】
このように構成された縫い包み１では、例えば、図５に示すように、植毛パーツ２０Ａ〜２０Ｏを本体部１０の表面における所定の位置に取付け、所定のハサミ５０を用いて、擬似的な毛のカットによって、任意の単数又は複数の植毛パーツを取り外すことができるため、図８(a)〜(d)に示すように、縫い包み１表面における毛の生え方のデザインを種々変更して楽しむことができる。そして、図９に示すように、例えば、擬似的な毛のカットが済んだ後に、毛並みをくしＣＢ等で整えたり、リボンＬＢや首輪ＮＬ等の装飾を付して、さらにデザインを楽しむこともできる。
【００４２】
特に、ここでは、フック側・面ファスナー２４によって植毛パーツ２０Ａ〜２０Ｏが本体部１０の布地１３に取り付けられた状態で、布地１３とフック側・面ファスナー２４とが接する部分を所定のハサミ５０で挟みこむことによって、本体部１０からフック側・面ファスナー２４を脱着させることができ、その際における適度な抵抗感により、あたかも本物のハサミで縫い包み１表面に生えている毛を切っているかの様な感触を得ることができる。
【００４３】
＜その他＞
以上、この発明の実施形態について説明したが、この発明は上記説明した内容のものに限定されるものではない。
【００４４】
◎例えば、上述した実施形態に係る縫い包み１では、本体部１０に対して着脱自在に取り付け可能な１５個の植毛パーツ２０Ａ〜２０Ｏが備えられていたが、これに限られるものではなく、例えば、１個や、それ以上の任意個数の植毛パーツを備えて構成されても良い。
【００４５】
◎また、上述した実施形態では、各植毛パーツ２０Ａ〜２０Ｏは、その形状が限られ、本体部１０の所定の位置に取り付られるように構成されたが、これに限られるものではなく、例えば、本体部１０の表面を覆うための毛を、数百の同様な形状の非常に細かい植毛パーツに分割して、フック側・面ファスナー２４によって本体部１０の任意の位置に対して着脱自在に取付可能とするように構成しても良い。このような構成とすると、植毛パーツの取付の有無の組合せや取付位置の自由度に優れ、さらに、縫い包み１表面における毛の生え方の多用なデザインを楽しむことができる。
【００４６】
◎また、上述した実施形態では、本体部１０に対して各植毛パーツ２０Ａ〜２０Ｏを直接取り付け可能に構成されたが、これに限られるものではなく、例えば、植毛パーツの毛が本体部１０の表面と同様にループ状の毛で構成され、本体部１０に対して植毛パーツを直接取り付けた上面からさらに植毛パーツを取り付け可能としても良い。このような構成により、縫い包みの毛の多さや膨らみ具合等、さらに多様なデザインを楽しむことが可能となる。
【００４７】
◎また、上述した実施形態では、本発明に係る実施形態の一例として、動物を模した縫い包み１を挙げたが、これに限られるものではなく、例えば、本発明は、人や木等を模した縫い包みに対しても適用することができる。
【００４８】
例えば、人を模した縫い包みについては、植毛パーツの代わりに、毛髪の部分を複数のパーツ（毛髪パーツ）に分割して、頭皮に対する各毛髪パーツの取り付けの有無を適宜組み合わせることにより、模擬的な散髪を行い、多様なヘアーデザインを楽しむことができる。また、木を模した縫い包みについては、植毛パーツの代わりに、生い茂る葉の部分を複数のパーツ（葉パーツ）に分割して、枝に対する各葉パーツの取り付けの有無を適宜組み合わせることにより、模擬的な剪定を行い、多様なデザインを楽しむことができる。
【図面の簡単な説明】
【００４９】
【図１】この発明の実施の形態に係る縫い包みを示す図である。
【図２】植毛パーツを示す平面図である。
【図３】植毛パーツを示す底面図である。
【図４】植毛パーツを本体部に取付けた状態を示す要部拡大図である。
【図５】植毛パーツを取付けた状態における縫い包みを示す斜視図である。
【図６】本体部から植毛パーツをハサミを用いて取り外す様子を示す図である。
【図７】本体部から植毛パーツをハサミを用いて取り外す際の要部拡大図である。
【図８】縫い包みのデザイン例を示す図である。
【図９】縫い包みのデザイン例を示す図である。
【符号の説明】
【００５０】
１  縫い包み
１０  本体部
１３  布地
１３ａ  毛
２０Ａ〜２０Ｏ  植毛パーツ
２２Ｉ  装飾本体部
２４  フック側・面ファスナー
２５  フック部
【図１】
2005270269.tif 000003
【図２】
2005270269.tif 000004
【図３】
2005270269.tif 000005
【図４】
2005270269.tif 000006
【図５】
2005270269.tif 000007
【図６】
2005270269.tif 000008
【図７】
2005270269.tif 000009
【図８】
2005270269.tif 000010
【図９】
2005270269.tif 000011